(57)【要約】【課題】  温度応動部材の変形力とフロートの浮力との合力によってフロートで弁孔を開けるフロート式スチームトラップにおいて、空気を排出してエアバインディングを解消する。【解決手段】  入口側部材１と出口側部材２から成るケーシングで入口５と弁室６と出口７を形成し、弁室６を出口７に連通する弁孔８を形成し、弁孔８を開閉するフロート１１を弁室６内に配置し、弁室６内の温度に従って変形して低温時にフロート１１に開弁方向の力を作用せしめ高温時にフロート１１に干渉しない温度応動部材としてのバイメタル１３を弁室６内に配置し、バイメタル１３の変形力とフロート１１の浮力との合力によってフロート１１で弁孔８を開けるものにおいて、弁室６を出口７に連通するオリフィス９の弁室６側開口端を弁室６の下端に形成し、オリフィス９をバイメタル１３により低温時に開け高温時に閉じる。【選択図】      図１
2008169978.tif 000002
【特許請求の範囲】
【請求項１】
ケーシングで入口と弁室と出口を形成し、弁室を出口に連通する弁孔を形成し、弁孔を開閉するフロートを弁室内に配置し、弁室内の温度に従って変形して低温時にフロートに開弁方向の力を作用せしめ高温時にフロートに干渉しない温度応動部材を弁室内に配置し、温度応動部材の変形力とフロートの浮力との合力によってフロートで弁孔を開けるものにおいて、弁室を出口に連通するオリフィスの弁室側開口端を弁室の下端に形成し、当該オリフィスを上記温度応動部材により低温時に開け高温時に閉じることを特徴とするフロート式スチームトラップ。
【発明の詳細な説明】
【技術分野】
【０００１】
本発明は、フロートの浮上降下により弁孔を開閉して各種蒸気使用機器や蒸気配管で発生する復水を自動的に排出するフロート式スチームトラップに関する。
【背景技術】
【０００２】
フロート式スチームトラップは、液面に浮かぶフロートの浮力によって弁室に形成された弁孔を開口するものであるが、開口可能な弁孔面積には限りがあるので、排出容量を大きくするためには大きなフロートを用いなければならず、特に入口側の流体圧力が高圧であると、形状が大きくなってしまう問題点があった。そこで、形状をさほど大きくせずに排出容量を大きくしたものとして、特公昭５７−１８０７７号公報に示されたものがある。当該公報から理解されるように、ケーシングで入口と弁室と出口を形成し、弁室を出口に連通する弁孔を形成し、弁孔を開閉するフロートを弁室内に配置し、弁室内の温度に従って変形して低温時にフロートに開弁方向の力を作用せしめ高温時にフロートに干渉しない温度応動部材を弁室内に配置し、温度応動部材の変形力とフロートの浮力との合力によってフロートで弁孔を開けるようにしたものである。
【０００３】
上記従来のフロート式スチームトラップは、弁室内に空気が溜るとフロートに浮力が生じないので、温度応動部材の変形力のみではフロートで弁孔を開けることができないエアバインディングを生じる問題点があった。
【特許文献１】特公昭５７−１８０７７号公報
【発明の開示】
【発明が解決しようとする課題】
【０００４】
解決しようとする課題は、温度応動部材の変形力とフロートの浮力との合力によってフロートで弁孔を開けるフロート式スチームトラップにおいて、空気を排出してエアバインディングを解消できるようにすることである。
【課題を解決するための手段】
【０００５】
上記の課題を解決するために講じた本発明の手段は、ケーシングで入口と弁室と出口を形成し、弁室を出口に連通する弁孔を形成し、弁孔を開閉するフロートを弁室内に配置し、弁室内の温度に従って変形して低温時にフロートに開弁方向の力を作用せしめ高温時にフロートに干渉しない温度応動部材を弁室内に配置し、温度応動部材の変形力とフロートの浮力との合力によってフロートで弁孔を開けるものにおいて、弁室を出口に連通するオリフィスの弁室側開口端を弁室の下端に形成し、当該オリフィスを上記温度応動部材により低温時に開け高温時に閉じることを特徴とするフロート式スチームトラップにある。
【発明の効果】
【０００６】
本発明は、温度応動部材でオリフィスを開けることにより、空気を排出してエアバインディングを解消できるので、復水排出機能を喪失することがない。そのため、蒸気使用機器の運転効率が低下することがなく、またウォータ・ハンマを生じることがないという優れた効果を生じる。また、送気が止められた休止時には温度応動部材でオリフィスを開けることにより、弁室内の復水を排出して弁室内に復水を残留させることがないので、弁室内で細菌の繁殖を防止でき食品や医療の分野で使用できるという優れた効果を生じる。
【発明を実施するための最良の形態】
【０００７】
本発明のフロート式スチームトラップは、温度応動部材の変形力とフロートの浮力との合力によってフロートで弁孔を開けるものにおいて、弁室を出口に連通するオリフィスを形成し、当該オリフィスを上記温度応動部材により低温時に開け高温時に閉じるものである。そのため、弁室内に空気が溜るとフロートに浮力が生じないので、温度応動部材の変形力のみではフロートで弁孔を開けることができないが、温度応動部材がオリフィスを開けて空気を排出することによりエアバインディングを解消できる。また、送気が止められた休止時には温度応動部材でオリフィスを開けることにより、弁室内の復水を排出して弁室内に復水を残留させることがない。
【実施例１】
【０００８】
上記の技術的手段の具体例を示す実施例を説明する（図１参照）。図１に本発明のフロート式スチームトラップの断面図を示す。本実施例はフリーフロート式スチームトラップに適用したものである。フリーフロート式スチームトラップのケーシングは入口側部材１と出口側部材２を間に気密を保つためのシール部材３を介在させて取付部材４で固定して形成する。入口側部材１に入口５を形成し、入口側部材１と出口側部材２の間に弁室６を形成し、出口側部材２に出口７と弁孔８とオリフィス９と出口通路１０を形成する。入口５は弁室６の上部に連通する。弁室６の下部は弁孔８と下方の出口通路１０を介して下方の出口７に連通し、弁室６の下端はオリフィス９を介して下方の出口７に連通する。オリフィス９の弁室６側の開口端は弁室６の下端に形成する。
【０００９】
弁室６内に弁孔８を開閉する中空球形のフロート１１を自由状態で配置する。フロート１１が弁孔８を閉じた位置で当接するフロート座１２をフロート１１の下方に、図面の手前側と向う側に２つ設ける。弁室６内に温度応動部材としてのバイメタル１３を配置する。バイメタル１３は断面形状がほぼ「し」字状で一端側をビス１４で出口側部材２に固定する。バイメタル１３は高温時に「し」字状が狭まるように変形してフロート１１に干渉しないと共に他端側でオリフィス９を閉じ、低温時に「し」字状が拡がるように変形してオリフィス９を開けると共にフロート１１に開弁方向の力を作用させる。弁孔８はフロート１１の浮力のみでは開けることができず、フロート１１の浮力とバイメタル１３の変形力との合力によって開けることができるように大きな開口面積に形成する。オリフィス９はバイメタル１３の変形力のみによって開けることのできるように、弁孔８よりも小さな開口面積に形成する。
【００１０】
上記実施例のフリーフロート式スチームトラップの動作は下記の通りである。弁室６内が低温のときには、バイメタル１３は「し」字状が拡がるように変形してオリフィス９を開けると共にフロート１１に開弁方向の力を作用させている。これにより、低温の空気と復水をオリフィス９から出口７に排出する。このとき、フロート１１は弁室６内の復水が多ければ浮上して弁孔８を開け、低温の復水を弁孔８から出口７に排出する。低温の復水の排出によって弁室６内に流入する復水の温度が高くなると、バイメタル１３は「し」字状が狭まるように変形してフロート１１に干渉しないと共に他端側でオリフィス９を閉じる。このとき、フロート１１は弁室６内の高温の復水が少なくなるまで弁孔８を開け、高温の復水を弁孔８から出口７に排出する。高温の復水の排出によって弁室６内に蒸気が流入してくると、フロート１１は降下して弁孔８を閉じる。弁室６内の蒸気が凝縮して復水量が多くなり更に復水の温度が低くなると、バイメタル１３は「し」字状が拡がるように変形してオリフィス９を開けると共にフロート１１に開弁方向の力を作用させ、フロート１１は弁孔８を開ける。これにより、低温の復水を弁孔８とオリフィス９から出口６に排出する。空気が弁室６内に流入してきて弁室６内の温度が低くなると、バイメタル１３は「し」字状が拡がるように変形してオリフィス９を開け、低温の空気を弁孔８から出口７に排出する。送気が止められた休止時には弁室６内の温度が所定以下に低下すると、バイメタル１３は「し」字状が拡がるように変形してオリフィス９を開け、復水をオリフィス９から出口７に排出する。
【００１１】
上記実施例では、本発明をフリーフロート式スチームトラップに適用したが、レバーフロート式スチームトラップにも適用することができる。
【図面の簡単な説明】
【００１２】
【図１】本発明のフリーフロート式スチームトラップの断面図。
【符号の説明】
【００１３】
１  入口側部材
２  出口側部材
５  入口
６  弁室
７  出口
８  弁孔
９  オリフィス
１１  フロート
１３  バイメタル
【図１】
2008169978.tif 000003